(57)【要約】【課題】ワイヤレス送受信系において、受信側が突発電源断した場合、送信側でネットワーク断によるコンテンツ停止処理を行うのは、一定時間の無線監視期間（数秒）を経過した後になるため、リジューム再生の再開位置が、前回、実際に再生が止まった位置に対して数秒ずれてしまう。【解決手段】送信部が、第一の所定期間のネットワーク無反応を検知した場合、コンテンツ制御部は、その時点での再生位置情報をリジューム再生位置候補としてメモリに記憶しておき、その後、第二の所定期間が経過して本当にネットワーク断だと確定した時点で、前記リジューム再生位置候補を確定情報として有効化する。【選択図】図１
2010271518.tif 000002
【特許請求の範囲】
【請求項１】
ネットワーク経由でコンテンツを送信するコンテンツ送信装置において、
コンテンツ格納部と、コンテンツをネットワークへ送信するためのネットワーク接続のコンテンツ送信接続制御を行う送信部と、コンテンツの再生再開位置に関するリジューム確定情報を記憶するリジューム確定情報記憶部と、コンテンツの再生再開候補位置に関するリジューム候補情報を記憶するリジューム候補情報記憶部と、前記リジューム確定情報あるいは前記リジューム候補情報のうち最適な方を選択してリジューム再生再開位置として採用してコンテンツ再生制御を行うコンテンツ制御部、を有することを特徴とするコンテンツ送信装置。
【請求項２】
ネットワーク経由でコンテンツを受信するコンテンツ受信装置において、
コンテンツをネットワークから受信するためのネットワーク接続のコンテンツ受信接続制御を行う受信部と、前記受信したコンテンツの再生を行うコンテンツ再生部、を有することを特徴とするコンテンツ受信装置。
【請求項３】
ネットワーク経由でコンテンツを送信するコンテンツ送信装置と、ネットワーク経由でコンテンツを受信するコンテンツ受信装置と、ネットワークからなるコンテンツ送信システムであって、
ネットワーク経由でコンテンツを送信するコンテンツ送信装置において、
コンテンツ格納部と、コンテンツをネットワークへ送信するためのネットワーク接続のコンテンツ送信接続制御を行う送信部と、コンテンツの再生再開位置に関するリジューム確定情報を記憶するリジューム確定情報記憶部と、コンテンツの再生再開候補位置に関するリジューム候補情報を記憶するリジューム候補情報記憶部と、前記リジューム確定情報あるいは前記リジューム候補情報のうち最適な方を選択してリジューム再生再開位置として採用してコンテンツ再生制御を行うコンテンツ制御部を有し、
ネットワーク経由でコンテンツを受信するコンテンツ受信装置において、
コンテンツをネットワークから受信するためのネットワーク接続のコンテンツ受信接続制御を行う受信部と、前記受信したコンテンツの再生を行うコンテンツ再生部を有することを特徴とするコンテンツ送受信システム。
【請求項４】
前記コンテンツ送信装置の前記送信部が、ネットワークの接続状態を監視し、第一の所定の期間、コンテンツ受信装置からの接続応答が無い場合、ネットワークの切断を予知してコンテンツ制御部に対してネットワーク切断予知指示を出し、コンテンツ制御部は前記ネットワーク切断予知指示に従い、その時点でのコンテンツの再生位置を、リジューム候補情報としてリジューム候補情報記憶部へ記憶することを特徴とする請求項１記載のコンテンツ送信装置および請求項３記載のコンテンツ送受信システム。
【請求項５】
前記コンテンツ送信装置の前記送信部が、ネットワークの接続状態を監視し、前記第一の所定の期間より長い第二の所定の期間、コンテンツ受信装置からの接続応答が無い場合、ネットワークの切断を確定してコンテンツ制御部に対してコンテンツ再生停止指示を出し、コンテンツ制御部は前記コンテンツ再生停止指示に従い、その時点でのコンテンツの再生位置を、リジューム確定情報としてリジューム確定情報記憶部へ記憶することを特徴とする請求項１、３または４記載のコンテンツ送信装置およびコンテンツ送受信システム。
【請求項６】
前記コンテンツ送信装置の前記送信部が、コンテンツ受信装置からの信号を受信する機能を持ち、コンテンツ受信装置から所定の信号を受信した場合、コンテンツ制御部に対してリジューム候補情報記憶指示を出し、コンテンツ制御部は前記リジューム候補情報記憶指示に従い、その時点でのコンテンツの再生位置を、リジューム候補情報としてリジューム候補情報記憶部へ記憶することを特徴とする請求項１記載のコンテンツ送信装置および請求項３記載のコンテンツ送受信システム。
【請求項７】
前記リジューム候補情報または前記リジューム確定情報が示すコンテンツのリジューム位置から、さらに所定の時間長または所定のコンテンツ長だけ前のリジューム位置で、前記リジューム確定情報を置き換えることを特徴とする請求項１、３、４、５または６記載のコンテンツ送信装置またはコンテンツ送受信システム。
【請求項８】
前記リジューム候補情報または前記リジューム確定情報が示すコンテンツの先頭位置または前記コンテンツの前のコンテンツの先頭位置で、前記リジューム確定情報を置き換えることを特徴とする請求項１、３、４、５または６記載のコンテンツ送信装置またはコンテンツ送受信システム。
【発明の詳細な説明】
【技術分野】
【０００１】
本発明は、ネットワーク通信に対応したコンテンツ送信装置、コンテンツ受信装置、および、コンテンツ送受信システムに関する。
【背景技術】
【０００２】
近年、携帯電話端末やパーソナルコンピュータなどの多種多様な情報機器間の情報交換や制御において、無線通信接続が急増している。この無線通信接続のシステムは、公衆回線に留まらず、Ｂｌｕｅｔｏｏｔｈ（登録商標）やワイヤレスＬＡＮなどのローカルな無線通信システムも利用されている。
【０００３】
特にＢｌｕｅｔｏｏｔｈは、その消費電力の少なさから、オーディオ再生機能付の携帯電話やポータブルオーディオ再生機器（あるいはポータブルオーディオ再生機器用アダプタ）に多数搭載されてきており、Ｂｌｕｅｔｏｏｔｈ対応ヘッドホンとの組み合わせで、煩わしかったヘッドホンのコードの課題を克服するなど、その利用シーンは劇的に広まってきている。
【０００４】
図５に、Ｂｌｕｅｔｏｏｔｈ対応ポータブルオーディオ再生機器５００（以下、ＢＴ対応プレーヤ５００）とＢｌｕｅｔｏｏｔｈ対応ヘッドホン５１０（ＢＴ対応ヘッドホン５１０）を使った使用シーンの一例を示す。ＢＴ対応プレーヤ５００は、ＰＬＡＹ、ＳＴＯＰ、Ｆ．ＳＫＩＰ、Ｒ．ＳＫＩＰなどの再生操作を行うための操作キー５０２と、表示デバイス５０１と、電源スイッチ５０３を備え、ＢＴ対応ヘッドホン５１０は、ＰＬＡＹキー、ＳＴＯＰキー、Ｆ．ＳＫＩＰキー、Ｒ．ＳＫＩＰキーなどの再生操作を行うための操作キー５１１と、電源スイッチ５１２を備えており、電源スイッチ５０３、電源スイッチ５１２、操作キー５０２、操作キー５１１の操作により、ＢＴ対応プレーヤ５００に記録されている音楽をＢｌｕｅｔｏｏｔｈ通信で伝送してＢＴ対応ヘッドホン５１０で聴くことができる構成である。また、Ｂｌｕｅｔｏｏｔｈ伝送で音楽を聴いているときに、操作キー５１１によりＳＴＯＰ操作を行った場合、ＢＴ対応プレーヤ５００は、いま再生していた曲とその曲の再生位置を記憶し、次にリジューム再生（再生再開）するときに、記憶しておいた再生位置から再生を再開する。
【先行技術文献】
【特許文献】
【０００５】
【特許文献１】特開２００４−１２８６７２号公報
【発明の概要】
【発明が解決しようとする課題】
【０００６】
しかしながら特許文献１に開示されている構成では、ＢＴ対応ヘッドホン５１０の電源を意図的に（あるいは意図せずして）突然オフした場合、その時点で即Ｂｌｕｅｔｏｏｔｈ通信が途絶えることになるが、ＢＴ対応プレーヤ５００は、通常、Ｂｌｕｅｔｏｏｔｈ通信切断をすぐに検知することができず、検知できるまでのあいだの数秒間、音楽再生をし続けてしまう（音楽を送信し続けてしまう）ことになり、数秒後に通信切断を確実に検知できた時点でようやく再生を停止する（この時点でようやくリジューム再生情報を記憶する）ことになってしまい、次にリジューム再生する場合、ＢＴ対応ヘッドホン５１０の電源を切った時点の再生位置から数秒ずれた位置から再生再開してしまうという課題があった。
【０００７】
本発明の目的は、前回、実際に音が止まった位置に近い再生位置からリジューム再生を再開することである。
【課題を解決するための手段】
【０００８】
本発明のコンテンツ送信装置、コンテンツ受信装置、および、コンテンツ送受信システムは、
ネットワーク経由でコンテンツを送信するコンテンツ送信装置において、
コンテンツ格納部と、コンテンツをネットワークへ送信するためのネットワーク接続のコンテンツ送信接続制御を行う送信部と、コンテンツの再生再開位置に関するリジューム確定情報を記憶するリジューム確定情報記憶部と、コンテンツの再生再開候補位置に関するリジューム候補情報を記憶するリジューム候補情報記憶部と、前記リジューム確定情報あるいは前記リジューム候補情報のうち最適な方を選択してリジューム再生再開位置として採用してコンテンツ再生制御を行うコンテンツ制御部、を有し、また、
ネットワーク経由でコンテンツを受信するコンテンツ受信装置において、
コンテンツをネットワークから受信するためのネットワーク接続のコンテンツ受信接続制御を行う受信部と、前記受信したコンテンツの再生を行うコンテンツ再生部、を有し、また、
ネットワーク経由でコンテンツを送信するコンテンツ送信装置と、ネットワーク経由でコンテンツを受信するコンテンツ受信装置と、ネットワークからなるコンテンツ送信システムであって、
ネットワーク経由でコンテンツを送信するコンテンツ送信装置において、
コンテンツ格納部と、コンテンツをネットワークへ送信するためのネットワーク接続のコンテンツ送信接続制御を行う送信部と、コンテンツの再生再開位置に関するリジューム確定情報を記憶するリジューム確定情報記憶部と、コンテンツの再生再開候補位置に関するリジューム候補情報を記憶するリジューム候補情報記憶部と、前記リジューム確定情報あるいは前記リジューム候補情報のうち最適な方を選択してリジューム再生再開位置として採用してコンテンツ再生制御を行うコンテンツ制御部を有し、
ネットワーク経由でコンテンツを受信するコンテンツ受信装置において、
コンテンツをネットワークから受信するためのネットワーク接続のコンテンツ受信接続制御を行う受信部と、前記受信したコンテンツの再生を行うコンテンツ再生部を有し、また、
前記コンテンツ送信装置の前記送信部が、ネットワークの接続状態を監視し、第一の所定の期間、コンテンツ受信装置からの接続応答が無い場合、ネットワークの切断を予知してコンテンツ制御部に対してネットワーク切断予知指示を出し、コンテンツ制御部は前記ネットワーク切断予知指示に従い、その時点でのコンテンツの再生位置を、リジューム候補情報としてリジューム候補情報記憶部へ記憶し、また、
前記コンテンツ送信装置の前記送信部が、ネットワークの接続状態を監視し、前記第一の所定の期間より長い第二の所定の期間、コンテンツ受信装置からの接続応答が無い場合、ネットワークの切断を確定してコンテンツ制御部に対してコンテンツ再生停止指示を出し、コンテンツ制御部は前記コンテンツ再生停止指示に従い、その時点でのコンテンツの再生位置を、リジューム確定情報としてリジューム確定情報記憶部へ記憶し、また、
前記コンテンツ送信装置の前記送信部が、コンテンツ受信装置からの信号を受信する機能を持ち、コンテンツ受信装置から所定の信号を受信した場合、コンテンツ制御部に対してリジューム候補情報記憶指示を出し、コンテンツ制御部は前記リジューム候補情報記憶指示に従い、その時点でのコンテンツの再生位置を、リジューム候補情報としてリジューム候補情報記憶部へ記憶し、また、
前記リジューム候補情報または前記リジューム確定情報が示すコンテンツのリジューム位置から、さらに所定の時間長または所定のコンテンツ長だけ前のリジューム位置で、前記リジューム確定情報を置き換え、また、
前記リジューム候補情報または前記リジューム確定情報が示すコンテンツの先頭位置または前記コンテンツの前のコンテンツの先頭位置で、前記リジューム確定情報を置き換える。
【発明の効果】
【０００９】
本発明によれば、
受信側で突発電源断等により突発ネットワーク断に至った場合でも、以下の（１）〜（３）のいずれかの再生位置からリジューム再生（再生再開）することが可能となり、
（１）前回、実際に音が止まった再生位置とほぼ等しい再生位置からのリジューム再生
（２）前回、実際に音が止まった再生位置の少し前の再生位置からのリジューム再生
（３）前回、実際に音が止まったコンテンツの先頭位置からのリジューム再生
また、受信側で受信状態悪化等により受信異常が発生した場合でも、以下の（４）〜（６）のいずれかの再生位置からリジューム再生（再生再開）することが可能となる。
【００１０】
（４）受信異常が発生した再生位置とほぼ等しい再生位置からのリジューム再生
（５）受信異常が発生した再生位置の少し前の再生位置からのリジューム再生
（６）受信異常が発生したコンテンツの先頭位置からのリジューム再生
【図面の簡単な説明】
【００１１】
【図１】実施の形態１，２におけるコンテンツ送信装置（ＢＴ対応プレーヤ）、コンテンツ受信装置（ＢＴ対応ヘッドホン）、および、コンテンツ送受信システムの一例を示す図
【図２】実施の形態１，２におけるコンテンツ再生装置（ＢＴ対応プレーヤ）の動作の一例を示すフローチャート
【図３】実施の形態１におけるコンテンツ再生装置（ＢＴ対応プレーヤ）の動作の一例を示すフローチャート
【図４】実施の形態２におけるコンテンツ再生装置（ＢＴ対応プレーヤ）の動作の一例を示すフローチャート
【図５】実施の形態１，２におけるコンテンツ再生装置（ＢＴ対応プレーヤ）、コンテンツ受信装置（ＢＴ対応ヘッドホン）、および、コンテンツ送受信システムの一例を示す図
【図６】実施の形態１，２におけるリジューム候補情報の一例を示す図
【図７】実施の形態１，２におけるリジューム確定情報の一例を示す図
【図８】実施の形態１，２におけるコンテンツ格納位置情報の一例を示す図
【発明を実施するための形態】
【００１２】
本発明のコンテンツ送信装置、コンテンツ受信装置、および、コンテンツ送受信システムは、上記構成を基本として、以下のような様々な態様をとることができる。
【００１３】
（実施の形態１）
図１は、実施の形態１におけるコンテンツ送信装置、ネットワーク、コンテンツ受信装置、および、コンテンツ送受信システムの一例を示す。図２および図３は、実施の形態１におけるフローチャートの一例を示す。図５は、コンテンツ送信装置（Ｂｌｕｅｔｏｏｔｈ対応ポータブルオーディオ再生機器（以降、ＢＴ対応プレーヤ））、ネットワーク（Ｂｌｕｅｔｏｏｔｈネットワーク（以降、ＢＴネットワーク））、コンテンツ受信装置（Ｂｌｕｅｔｏｏｔｈ対応ヘッドホン（以降、ＢＴ対応ヘッドホン））、および、コンテンツ送受信システムの一例を示す。
【００１４】
図１において、コンテンツ送受信システムは、ＢＴ対応プレーヤ１００、ＢＴネットワーク１３０、ＢＴ対応ヘッドホン１２０とから構成されている。ＢＴ対応プレーヤ１００は、コンテンツ格納部１０１、コンテンツ制御部１０２、表示部１０３、操作部１０４、Ｄ／Ａ変換部１０５、出力部１０６、リジューム確定情報記憶部１０７、リジューム候補情報記憶部１０８、送信部１０９、電源制御部１１０、アンテナ部１１１、コンテンツ格納位置記憶部１１２とから構成されている。ＢＴ対応ヘッドホン１２０は、アンテナ部１２１、受信部１２２、コンテンツ再生部１２３、表示部１２４、操作部１２５、Ｄ／Ａ変換部１２６、出力部１２７、電源制御部１２８とから構成されている。
【００１５】
図５において、コンテンツ送受信システムは、コンテンツ送信装置であるＢＴ対応プレーヤ５００、ＢＴネットワーク５２０、コンテンツ受信装置であるＢＴ対応ヘッドホン５１０とから構成されている。ＢＴ対応プレーヤ５００は、コンテンツ（ＭＰ３データ）の書誌情報（タイトル名、アーティスト名など）を表示するための表示部５０１、コンテンツ（ＭＰ３データ）の再生操作を行うための操作部５０２、電源スイッチ５０３とから構成されている。ＢＴ対応ヘッドホン５１０は、コンテンツ（ＭＰ３データ）を再生して出力するための出力部（スピーカ部）５１１、コンテンツ（ＭＰ３データ）の再生操作を行うための操作部５１２、電源スイッチ５１３、コンテンツ（ＭＰ３データ）の書誌情報（タイトル名、アーティスト名など）を表示するための表示部５１４とから構成されている。これらの構成を詳細に示したものが図１である。
【００１６】
図６は、リジューム候補情報の一例を示す図であり、リジューム候補情報６０１、および、リジューム候補情報６０３を示している。ただし、本発明を実現できる情報群であれば、必ずしもこれらの項目（コンテンツ番号、カウンタ表示時刻、セクタ位置）で構成される必要はない。
【００１７】
図７は、リジューム確定情報の一例を示す図であり、リジューム確定情報７００、リジューム確定情報７０１、リジューム確定情報７０２、および、リジューム確定情報７０３を示している。ただし、本発明を実現できる情報群であれば、必ずしもこれらの項目（コンテンツ番号、カウンタ表示時刻、セクタ位置）で構成される必要はない。
【００１８】
図８は、各コンテンツのコンテンツ格納位置情報の一例を示す図であり、コンテンツ格納位置情報８００を示している。ただし、本発明を実現できる情報群であれば、必ずしもこれらの項目（コンテンツ番号、開始セクタ位置、終了セクタ位置）で構成される必要はない。
【００１９】
なお、本実施の形態１では、コンテンツ送信装置、ネットワーク、コンテンツ受信装置、および、コンテンツ送受信システムの一例として、図５に示すように、ＢＴ対応プレーヤ５００とＢＴ対応ヘッドホン５１０とがＢＴネットワーク５２０で接続される例を挙げてコンテンツ送受信システムを構成しているが、他の機器の組み合わせで実現することも可能である。他の機器の例としては、コンテンツ送信装置であるＢＴ対応プレーヤ５００は、各種ネットワーク対応携帯電話、各種ネットワーク対応携帯情報端末、各種ネットワーク対応ＤＶＤレコーダ等の据え置き型ＡＶ再生機器など、種々のネットワーク対応コンテンツ送信機器（再生機器）で構成することが可能であり、また、Ｂｌｕｅｔｏｏｔｈで実現されるＢＴネットワーク５２０は、無線／有線ＬＡＮ、有線／無線インターネット、赤外線、ＧＨｚ帯無線通信、光ファイバなど、有線／無線問わず種々のネットワークで構成することが可能であり、また、コンテンツ受信装置であるＢＴ対応ヘッドホン５１０は、各種ネットワーク対応カーナビゲーション（スピーカ付き）、各種ネットワーク対応スピーカなど、種々のネットワーク対応コンテンツ受信機器（再生機器）で構成することが可能であり、それぞれ置き換えた組み合わせで実現可能である。また、ここでは、コンテンツをＭＰ３データ（オーディオ）に特化して説明するが、ＷＭＡ、ＡＡＣ、ＷＡＶデータなど種々のデータ形式でも同様の構成を実現することができ、さらにオーディオとビデオが混在したデータ（ＷＭＶなどのＡＶデータ）でも実現可能であるため（コンテンツ送信装置やコンテンツ受信装置に表示部を備えている場合は映像（ビデオ）を表示する構成も可能）、これらを排除するものではない。また、ネットワークへ送信するための形式として、サブバンドコーデックのエンコード／デコード（以降、ＳＢＣエンコード／ＳＢＣデコード）を採用して説明しているが、種々の形式でも同様の構成が可能であり、それらを排除するものではない。さらに、ここでは、ＢＴ対応プレーヤ１００側でＭＰ３データを一度デコードした後にネットワークへ送信するためにＳＢＣエンコードしてＢＴネットワークへ送信し、ＢＴ対応ヘッドホン１２０側でＳＢＣデコードして再生している例で説明しているが、コンテンツ（ＭＰ３データ）をそのままＢＴネットワークへ送信して、ＢＴ対応ヘッドホン１２０側でＭＰ３デコードする構成でも同様の構成が可能であるため、これを排除するものではない。
【００２０】
ＢＴ対応プレーヤ１００の動作概要についてまず簡単に説明する。ＢＴ対応プレーヤ１００は、ＢＴ対応ヘッドホン１２０を使わず自分自身でコンテンツを再生するか、あるいは、自分自身で再生したコンテンツ（ＭＰ３データ）をＢＴネットワークへ送信するものである。具体的には、電源制御部１１０により電源が供給されている状態において、外部からの操作を操作部１０４により解釈して、コンテンツ格納部１０１に格納されているコンテンツ（ＭＰ３データ）を、コンテンツ制御部１０２によって再生できる形式（デジタルオーディオデータなど）に変換（ＭＰ３デコード処理など）し、（ｉ）自分自身でオーディオを再生する場合は、コンテンツ制御部１０２から出力されるデジタルオーディオデータを、Ｄ／Ａ変換部１０５によりアナログオーディオデータに変換したのち、出力部１０６からオーディオを聴くことができ（出力部はスピーカとして説明するがさらにインナーホンを接続して聞く構成でも可能）、（ｉｉ）ＢＴネットワークへデータ送信してＢＴヘッドホン側でオーディオを再生する場合は、コンテンツ制御部１０２から出力されるデジタルオーディオデータを、送信部１０９によってＢＴネットワークへ送信できる形式に変換（ＳＢＣエンコードなど）し、アンテナ部１１１経由でＢＴネットワーク１３０に送信することができる。またＢＴ対応プレーヤ１００は、表示部１０３を備える構成も可能であり、コンテンツの書誌情報（タイトル名、アーティスト名など）を表示することができる。
【００２１】
ＢＴ対応ヘッドホン１２０の動作概要についてまず簡単に説明する。ＢＴヘッドホン１２０は、ＢＴネットワーク１３０から送信されてきたデータを受信し、再生するものである。具体的には、電源制御部１２８において電源が供給されている状態において、ＢＴネットワーク１３０から送られてきたデータを、アンテナ部１２１経由で受信部１２２によって受信し、受信したデータをコンテンツ再生部１２３によって再生できる形式（デジタルオーディオデータなど）に変換（ＳＢＣデコード処理など）し、コンテンツ再生部１２３から出力されるオーディオデータを、Ｄ／Ａ変換部１２６によりアナログ信号に変換したのち、出力部１２７からオーディオを聴くことができる（出力部はスピーカとして説明するがさらにインナーホンを接続して聞く構成でも可能）。また、ＢＴ対応ヘッドホン１２０は、表示部１２４を備えており（無くてもよい）、ＢＴ対応プレーヤ１００から送信されてきたコンテンツの書誌情報（タイトル名、アーティスト名など）を表示することができる。また、ＢＴ対応ヘッドホン１２０は、操作部１２５を備えており（無くてもよい）、外部からの操作を操作部１２５で解釈し、ＢＴ対応プレーヤ１００に対してリモコンコマンドとして送信することにより、コンテンツの再生制御（Ｆ．ＳＫＩＰ、Ｒ．ＳＫＩＰ、ＰＡＵＳＥ、ＳＴＯＰ、ＰＬＡＹなど）を行うことができる。
【００２２】
このような構成において、リジューム再生（前回停止した再生位置から再生再開する機能）を行う場合の動作について、図１、図２、図３、図６、図７、図８を使って、（ｉ）ＢＴ対応プレーヤ１００自身でオーディオを再生する場合の動作の一例と、（ｉｉ）ＢＴネットワークから送られてきたデータを受信してＢＴ対応ヘッドホン１２０側でオーディオを再生する場合の動作の一例について説明する。説明の簡単化のため、コンテンツ格納部１０１には、複数のＭＰ３データとそれらの一覧を表す曲目リストが格納されているものとする。
【００２３】
まず、（ｉ）ＢＴ対応プレーヤ１００自身でオーディオを再生する場合の動作の一例について、図２のフローチャートを用いて説明する。
【００２４】
最初に、電源オフ状態から電源オン状態（停止状態）への移行について説明する。電源オフ状態において、ユーザが、電源スイッチまたは何らかのキー操作等により操作部１０４に対して電源オン操作を行うことにより、電源制御部１１０から電源が供給開始され、ＢＴ対応プレーヤ１００は電源オン状態に移行する。ここでは、電源オフ状態から電源オン状態に移行する処理のなかで、コンテンツ制御部１０２が、コンテンツ格納部１０１から格納されているＭＰ３データの曲目リストを取得し、これを表示部１０３で表示するものとし、ユーザは、格納されている曲目リストを閲覧することができる。この時点で、停止状態となる。
【００２５】
次に、電源オン状態（停止状態）から再生状態への移行について説明する。停止状態において、ユーザが、操作部１０４に対してＰＬＡＹキー操作により再生開始操作を行うことにより、ＢＴ対応プレーヤ１００は再生状態に移行する。停止状態においては、格納されている曲目リストを表示部１０３で閲覧することができるため、操作部１０４に対して上下左右などのカーソル移動手段などにより、それらの曲目リストの中から好みの曲目（ここでは５曲目とする）を選択し、操作部１０４に対してＰＬＡＹキー操作により決定操作（再生開始操作）を行う（Ｓ２０１）。操作部１０４は、コンテンツ制御部１０２に対して選択した曲目に対応するＭＰ３データのＰＬＡＹ指示を行い、コンテンツ制御部１０２は、リジューム再生（後述）でないため（Ｓ２１６）、コンテンツ格納位置記憶部１１２からコンテンツ格納部１０１上の選択した５曲目のコンテンツ格納位置であるコンテンツ格納位置情報（図８のコンテンツ格納位置情報８００）である開始セクタ位置３７５０１を読み込み（Ｓ２１７）、コンテンツ格納部１０１からそのＭＰ３データを読み出し（Ｓ２０６）、ＭＰ３デコード処理を行ってＤ／Ａ変換部１０４に対してデジタルオーディオデータを出力する。Ｄ／Ａ変換部１０４は、そのデジタルオーディオデータを出力部１０６から出力し、ユーザはオーディオを聴くことができ、再生状態となる。
【００２６】
次に、再生状態から停止状態への移行について説明する。再生状態において、ユーザが、表示部１０３のカウンタ表示時刻が５曲目の３分５３秒の時点で、操作部１０４に対してＳＴＯＰキー操作による再生停止操作を行うことにより、ＢＴ対応プレーヤ１００は停止状態に移行する。この時、操作部１０４は、コンテンツ制御部１０２に対して再生している曲目に対応するＭＰ３データのＳＴＯＰ指示を行い（Ｓ２０５）、コンテンツ制御部１０２は、コンテンツ格納部１０１からそのＭＰ３データの取得を中止すると同時にＭＰ３デコードも中止し（Ｓ２０８）、停止状態となる（Ｓ２１０）。この時、コンテンツ制御部１０２は、停止した時点、つまりＳＴＯＰ指示を受けた時点の再生位置である３分５３秒を示すリジューム確定情報７０１（表示部１０３で表示している再生コンテンツ番号、再生カウンタ表示時刻、コンテンツ格納部１０１におけるセクタ位置など。）をリジューム確定情報記憶部１０７に記憶する（Ｓ２０９）。
【００２７】
次に、停止状態から再生状態への移行について説明する。停止状態において、ユーザが、操作部１０４に対してＰＬＡＹキー操作により再生開始操作を行うことにより、ＢＴプレーヤ１００は再生状態に移行する。表示部１０３に表示された曲目リストから選択せずに再生開始操作を行った場合、リジューム再生操作となるため（Ｓ２１５）、ＢＴ対応プレーヤ１００は、前回再生停止した再生位置、つまり、５曲目の３分５３秒の位置からリジューム再生の動作を行う。操作部１０４は、コンテンツ制御部１０２に対してＰＬＡＹ指示を行い、コンテンツ制御部１０２は、リジューム確定情報記憶部１０７からリジューム確定情報７０１を読み出し（Ｓ２０２）、コンテンツ格納部１０１からそのリジューム確定情報７０１に従って、セクタ位置４４７８２を先頭にＭＰ３データを読み出し（Ｓ２０６）、ＭＰ３デコード処理を行ってＤ／Ａ変換部１０４に対してオーディオデータを出力する。Ｄ／Ａ変換部１０４は、そのオーディオデータを出力部１０６から出力し、ユーザはオーディオを聴くことができ、再生状態となる。このようにして、リジューム再生が行われる。また、リジューム確定情報記憶部１０７に記憶されたリジューム確定情報は、不揮発性メモリで構成されており、電源オフを経由した場合でも記憶されており、電源オフ後のリジューム再生においても機能することができる。
【００２８】
ここまでが（ｉ）の動作一例であり、次に、（ｉｉ）ＢＴネットワークから送られてきたデータを受信してＢＴ対応ヘッドホン１２０側でオーディオを再生する場合の動作の一例について、図３のフローチャートを用いて説明する。（ｉｉ−ａ）正規の停止シーケンスを伴った場合の動作について説明し、その後、（ｉｉ−ｂ）突発電源断による突発ネットワーク断が起こった場合の動作について説明する。
【００２９】
まず、（ｉｉ−ａ）正規の停止シーケンスを伴った場合の動作について説明する。
【００３０】
最初に、電源オフ状態から電源オン状態（停止状態）への移行について説明する。ＢＴ対応プレーヤ１００に関しては、（ｉ）と同等であるため説明を省略する。ＢＴ対応ヘッドホン１２０に関して、電源オフ状態から電源オン（停止状態）への移行について説明する。電源オフ状態において、ユーザが、電源スイッチまたは何らかのキー操作等により操作部１２５に対して電源オン操作を行うことにより、電源制御部１２８から電源が供給開始され、ＢＴ対応ヘッドホン１２０は電源オン状態に移行する。ここでは、ＢＴ対応ヘッドホン１２０が、電源オフ状態から電源オン状態に移行する処理のなかで、あらかじめＢＴネットワーク１３０の相手先として登録してあるＢＴ対応プレーヤ１００に自動的に接続を試みる構成とする。接続が成功すれば、ＢＴ対応プレーヤ１００は、コンテンツ格納部１０１に格納されている曲目リストを送信部１０９を使ってＢＴネットワーク１３０に送信し、ＢＴ対応ヘッドホン１２０は、受信部１２２で受信した曲目リストを取得し、これを表示部１２４で表示するものとし、ユーザは、ＢＴ対応ヘッドホン１２０側で、ＢＴ対応プレーヤ１００に格納されている曲目リストを閲覧することができる。この時点で、ＢＴ対応プレーヤ１００およびＢＴ対応ヘッドホン１２０は、停止状態となる。
【００３１】
次に、電源オン状態（停止状態）から再生状態への移行について説明する。各種操作については、ＢＴ対応プレーヤ１００側の操作部１０４に対して行うことも可能であるが、ここではＢＴ対応ヘッドホン１２０側の操作部１２５に対して各種操作を行うものとして説明する。停止状態において、ユーザが、操作部１２５に対してＰＬＡＹキー操作により再生開始操作を行うことにより、ＢＴ対応プレーヤ１００は再生状態に移行する。ＢＴ対応ヘッドホン１２０では、停止状態においては、格納されている曲目リストを表示部１２４で閲覧することができるため、操作部１２５に対して上下左右などのカーソル移動手段などにより、それらの曲目リストの中から好みの曲目（ここでは５曲目とする）を選択し、操作部１２５に対してＰＬＡＹキー操作により決定操作（再生開始操作）を行う（Ｓ２０１）。操作部１２５は、コンテンツ再生部１２３に対して選択したコンテンツのＰＬＡＹ指示を行い、コンテンツ再生部１２３は、受信部１２２に対して選択したコンテンツのＰＬＡＹコマンドを発行し、受信部１２２は、ＢＴネットワーク１３０に対して上り信号であるＰＬＡＹコマンドを送信し、ＢＴ対応プレーヤ１００の送信部１０９は、ＢＴネットワーク１３０からこのＰＬＡＹコマンドを受信し、送信部１０９は、受信したＰＬＡＹコマンドによりコンテンツ制御部１０２に対して選択した曲目に対応するＭＰ３データのＰＬＡＹ指示を行い、コンテンツ制御部１０２は、リジューム再生（後述）でないため（Ｓ２１６）、コンテンツ格納位置記憶部１１２からコンテンツ格納部１０１上の選択した５曲目のコンテンツ格納位置であるコンテンツ格納位置情報（図８のコンテンツ格納位置情報８００）である開始セクタ位置３７５０１を読み込み（Ｓ２１７）、コンテンツ格納部１０１からそのＭＰ３データを取得してＭＰ３デコード処理を行って送信部１０９に対してデジタルオーディオデータを出力し、送信部１０９は、そのデジタルオーディオデータをＢＴネットワーク１３０へ送信できる形式に変換（ＳＢＣエンコードなど）し、ＢＴネットワーク１３０に送信し（Ｓ３０７）、ＢＴ対応ヘッドホン１２０の受信部１２２は、このデータを受信してコンテンツ再生部１２３に渡し、コンテンツ再生部１２３は、再生できる形式（デジタルオーディオデータなど）に変換（ＳＢＣデコード処理など）し、コンテンツ再生部１２３から出力されるデジタルオーディオデータを、Ｄ／Ａ変換部１２６によりアナログオーディオデータに変換したのち、出力部１２７から出力し、ユーザはオーディオを聴くことができ、ＢＴ対応プレーヤ１００およびＢＴ対応ヘッドホン１２０は、再生状態となる。
【００３２】
次に、再生状態から停止状態への移行について説明する。各種操作については、ＢＴ対応プレーヤ１００側の操作部１０４に対して行うことも可能であるが、ここではＢＴ対応ヘッドホン１２０側の操作部１２５に対して各種操作を行うものとして説明する。再生状態において、ユーザが、表示部１２４のカウンタ表示時刻が５曲目の３分５３秒の時点で、操作部１２５に対してＳＴＯＰキー操作による再生停止操作を行うことにより、ＢＴ対応プレーヤ１００は停止状態に移行する。この時、操作部１２５は、コンテンツ再生部１２３に対してＳＴＯＰ指示を行い（Ｓ２０５）、コンテンツ再生部１２３は、受信部１２２に対してＳＴＯＰコマンドを発行し、受信部１２２は、ＢＴネットワーク１３０に対して上り信号であるＳＴＯＰコマンドを送信し、ＢＴ対応プレーヤ１００の送信部１０９は、ＢＴネットワーク１３０からこのＳＴＯＰコマンドを受信し、送信部１０９は、受信したＳＴＯＰコマンドにより、コンテンツ制御部１０２に対してＳＴＯＰ指示を行い、コンテンツ制御部１０２は、コンテンツ格納部１０１からＭＰ３データの取得を中止すると同時にＭＰ３デコードも中止し（Ｓ２０８）、ＢＴ対応プレーヤ１００およびＢＴ対応ヘッドホン１２０は、停止状態となる（Ｓ２１０）。この時、コンテンツ制御部１０２は、停止した時点、つまりＳＴＯＰ指示を受けた時点の再生位置である３分５３秒を示すリジューム確定情報７０１（表示部１０３で表示している再生コンテンツ番号、再生カウンタ表示時刻、コンテンツ格納部１０１におけるセクタ位置など。）をリジューム確定情報記憶部１０７に記憶する（Ｓ３０９）。
【００３３】
次に、停止状態から再生状態への移行について説明する。各種操作については、ＢＴ対応プレーヤ１００側の操作部１０４に対して行うことも可能であるが、ここではＢＴ対応ヘッドホン１２０側の操作部１２５に対して各種操作を行うものとして説明する。停止状態において、ユーザが、操作部１２５に対してＰＬＡＹキー操作により再生開始操作を行うことにより、ＢＴプレーヤ１００は再生状態に移行する。表示部１２４に表示された曲目リストから選択せずに再生開始操作を行った場合、リジューム再生操作となるため（Ｓ２１５）、ＢＴ対応プレーヤ１００は、前回再生停止した再生位置、つまり、５曲目の３分５３秒の位置からリジューム再生の動作を行う。操作部１２５は、コンテンツ再生部１２３に対してＰＬＡＹ指示を行い、コンテンツ再生部１２３は、受信部１２２に対してＰＬＡＹコマンドを発行し、受信部１２２は、ＢＴネットワーク１３０に対して上り信号であるＰＬＡＹコマンドを送信し、ＢＴ対応プレーヤ１００の送信部１０９は、ＢＴネットワーク１３０からこのＰＬＡＹコマンドを受信し、受信部１２２は、受信したＰＬＡＹコマンドによりコンテンツ制御部１０２に対してＰＬＡＹ指示を行い、コンテンツ制御部１０２は、リジューム確定情報記憶部１０７からリジューム確定情報７０１を読み出し（Ｓ２０２）、コンテンツ格納部１０１からそのリジューム確定情報７０１に従って、セクタ位置４４７８２を先頭にＭＰ３データを読み出し（Ｓ２０６）、ＭＰ３デコード処理を行ってＤ／Ａ変換部１０４に対してオーディオデータを出力する。Ｄ／Ａ変換部１０４は、そのオーディオデータを出力部１０６から出力し、ユーザはオーディオを聴くことができ、ＢＴ対応プレーヤ１００およびＢＴ対応ヘッドホン１２０は、再生状態となる。このようにして、リジューム再生が行われる。また、リジューム確定情報記憶部１０７に記憶されたリジューム確定情報は、不揮発性メモリで構成されており、電源オフを経由した場合でも記憶されており、電源オフ後のリジューム再生においても機能することができる。
【００３４】
ここまでが（ｉｉ−ａ）の動作一例であり、ここから、正規の停止シーケンスを伴わない、（ｉｉ−ｂ）突発電源断による突発ネットワーク断が起こった場合の動作について説明する。
【００３５】
いま、ＢＴ対応プレーヤ１００およびＢＴ対応ヘッドホン１２０が再生状態であるとし、再生状態からネットワーク接続断による停止状態への移行について説明する。上記で説明したように、再生状態で、ＢＴ対応ヘッドホン１２０側から停止操作を行った場合は、ＢＴネットワーク経由でＢＴ対応プレーヤ１００に対してＳＴＯＰコマンドが送られ、コンテンツ制御部１０２によって、リジューム確定情報記憶部１０７に停止した時点の再生位置を示すリジューム確定情報が記憶される動作となり、その後にＢＴ対応ヘッドホン１２０側から（またはＢＴ対応プレーヤ１００側から）再生操作を行った場合は、リジューム確定情報記憶部１０７に記憶しておいたリジューム確定情報を使って、前回停止した時点の再生位置からリジューム再生（再生再開）する動作を行うことができる。また、ＢＴ対応プレーヤ１００側から停止操作を行った場合（曲の再生終了などに伴うユーザ操作を伴わない停止処理を含む）も、コンテンツ制御部１０２は、操作部１０４からＳＴＯＰ指示を受け（曲の再生終了などに伴うユーザ操作を伴わない停止処理がはたらいた場合は自発的に停止処理を行い）、リジューム確定情報記憶部１０７に停止した時点の再生位置を示すリジューム確定情報が記憶される動作となり、その後にＢＴ対応ヘッドホン１２０側から（またはＢＴ対応プレーヤ１００側から）再生操作を行った場合、同様にリジューム再生（再生再開）する動作を行うことができる。
【００３６】
しかしながら、現実の使用シーンにおいては、ユーザは、音楽を聴くことを中断する際、意図的に、ＢＴ対応ヘッドホン１２０側の電源を突然オフしたり、ＢＴ対応プレーヤ１００の電源を突然オフしたりして、ネットワーク断に至ったり、あるいは、意図せずして、ＢＴネットワークの状態が悪化したりして、ネットワーク断に至ることが想定される。また、ＢＴ対応ヘッドホン１２０がＢＴ対応カーナビゲーションである場合、ユーザが、意図的に（あるいは意図せずして）、エンジンを切った際、受信部１２２などの一部のブロックあるいは全部のブロックの電源供給が突然断たれることにより、ネットワーク断に至ることも想定される。このように、ネットワーク断を起因として、正規の停止シーケンスが行われなかった場合、リジューム再生の再生再開位置に数秒の誤差が生じてしまう。この動作について、ここでは、ＢＴ対応ヘッドホン１２０の電源が突然断たれて、ＢＴ対応ヘッドホン１２０からＢＴネットワーク１３０にＳＴＯＰコマンドが送信されなかった場合を例として説明する。
【００３７】
電源オフ状態から電源オン状態（停止状態）、電源オン状態（停止状態）から再生状態、までの動作については、（ｉｉ−ａ）と同様であるため省略する。
【００３８】
最初に、ＢＴ対応ヘッドホン１２０の電源断による、ＢＴ対応ヘッドホン１２０の再生状態から電源オフ状態への移行、ＢＴ対応プレーヤの再生状態から停止状態への移行について説明する。各種操作については、ＢＴ対応プレーヤ１００側の操作部１０４に対して行うことも可能であるが、ここではＢＴ対応ヘッドホン１２０側の操作部１２５に対して各種操作を行うものとして説明する。再生状態において、ユーザが、表示部１２４のカウンタ表示時刻が５曲目の３分５３秒の時点で、操作部１２５に対してＳＴＯＰキー操作による再生停止操作を行わず、突然、電源スイッチまたは何らかのキー操作等により操作部１２５に対して電源オフ操作を行うことにより、電源制御部１２８から電源が供給停止され、ＢＴ対応プレーヤ１００は電源オフ状態に移行する。この時、突然電源が断たれたため、操作部１２５は、コンテンツ再生部１２３に対してＳＴＯＰ指示は行うことができないため、ＢＴネットワーク１３０に対して上り信号であるＳＴＯＰコマンドは送信されない。よって、ＢＴ対応プレーヤ１００は、ＳＴＯＰコマンドを受信しないため、再生状態のままとなる。通常、ＢＴ対応プレーヤ１００の送信部１０９は、ＢＴ対応ヘッドホン１２０の受信部１２２と、双方向通信の関係にある。したがって、受信部１２２からの応答を常時監視するような動作を行うことが可能となり（Ｓ３０３）、ある第一の所定の時間（図３では１００ｍｓｅｃ）応答が無い場合は（Ｓ３１１）、ネットワーク断かもしれないと判断（予知）することができ、さらに、ある第二の所定の時間（図３では５０００ｍｓｅｃ）応答が無い場合は（Ｓ３１３）、ネットワーク断と判断（断定）することができる。従来、第一の所定の時間（１００ｍｓｅｃ）、受信部１２２から応答がなかったとしても、ネットワーク状態の悪化、伝送遅延などの可能性があるため、すぐにネットワーク断と確定しないのが通常であり、第二の所定の時間（５０００ｍｓｅｃ）待ってもＢＴ受信部１２２からの応答が無い場合、ようやくネットワーク断であることを確定判断し、コンテンツ制御部１０２に対してＳＴＯＰ指示を行い、コンテンツ制御部１０２は、コンテンツ格納部１０１からＭＰ３データの取得を中止すると同時にＭＰ３デコードも中止し（Ｓ２０８）、ＢＴ対応プレーヤ１００は、停止状態となる（Ｓ２１０）。この時、コンテンツ制御部１０２は、停止した時点、つまりＳＴＯＰ指示を受けた時点の再生位置である３分５３秒の５秒後である３分５８秒を示すリジューム確定情報７００（表示部１０３で表示している再生コンテンツ番号、再生カウンタ表示時刻、コンテンツ格納部１０１におけるセクタ位置など。）をリジューム確定情報記憶部１０７に記憶する（Ｓ３０９）。
【００３９】
次に、ＢＴ対応ヘッドホン１２０の電源オフ状態から電源オン状態（停止状態）への移行について説明する。ＢＴ対応プレーヤ１００については、電源オン（停止状態）のままであるため説明を省略する。ＢＴ対応ヘッドホン１２０については、電源オフ状態において、ユーザが、電源スイッチまたは何らかのキー操作等により操作部１２５に対して電源オン操作を行うことにより、電源制御部１２８から電源が供給開始され、ＢＴ対応ヘッドホン１２０は電源オン状態に移行する。ここでは、ＢＴ対応ヘッドホン１２０が、電源オフ状態から電源オン状態に移行する処理のなかで、あらかじめＢＴネットワーク１３０の相手先として登録してあるＢＴ対応プレーヤ１００に自動的に接続を試みる構成とする。接続が成功すれば、ＢＴ対応プレーヤ１００は、コンテンツ格納部１０１に格納されている曲目リストを送信部１０９を使ってＢＴネットワーク１３０に送信し、ＢＴ対応ヘッドホン１２０は、受信部１２２で受信した曲目リストを取得し、これを表示部１２４で表示するものとし、ユーザは、ＢＴ対応ヘッドホン１２０側で、ＢＴ対応プレーヤ１００に格納されている曲目リストを閲覧することができる。この時点で、停止状態となる。
【００４０】
次に、ＢＴ対応プレーヤ１００およびＢＴ対応ヘッドホン１２０の停止状態から再生状態への移行について説明する。各種操作については、ＢＴ対応プレーヤ１００側の操作部１０４に対して行うことも可能であるが、ここではＢＴ対応ヘッドホン１２０側の操作部１２５に対して各種操作を行うものとして説明する。停止状態において、ユーザが、操作部１２５に対してＰＬＡＹキー操作により再生開始操作を行うことにより、ＢＴプレーヤ１００は再生状態に移行する。表示部１２４に表示された曲目リストから選択せずに再生開始操作を行った場合、リジューム再生操作となるため（Ｓ２１５）、ＢＴ対応プレーヤ１００は、前回再生停止した再生位置、つまり、５曲目の３分５８秒の位置からリジューム再生の動作を行う。リジューム再生動作については、これまで説明した動きと同様であるが、上記の説明のように、電源断などの理由により突然ネットワーク断に至った場合、前回、停止した時にリジューム確定情報記憶部１０７に記憶したリジューム確定情報７００は、ネットワーク断が起こって実際にＢＴ対応ヘッドホン１２０の出力部１２７からのオーディオ出力が停止された再生位置（３分５３秒）よりも５秒うしろ（３分５８秒）の位置になっているため、実際のリジューム再生位置は、少し後ろにずれた位置からの再生再開となってしまうという課題を有する。
【００４１】
本発明では、リジューム候補情報記憶部１０８にリジューム候補情報を記憶することにより、この課題を解決することができる。以下、動作内容について説明する。
【００４２】
電源オフ状態から電源オン状態（停止状態）、電源オン状態（停止状態）から再生状態、までの動作については、（ｉｉ−ａ）と同様であるため省略する。
【００４３】
最初に、ＢＴ対応ヘッドホン１２０の電源断による、ＢＴ対応ヘッドホン１２０の再生状態から電源オフ状態への移行、ＢＴ対応プレーヤの再生状態から停止状態への移行について説明する。各種操作については、ＢＴ対応プレーヤ１００側の操作部１０４に対して行うことも可能であるが、ここではＢＴ対応ヘッドホン１２０側の操作部１２５に対して各種操作を行うものとして説明する。再生状態において、ユーザが、表示部１２４のカウンタ表示時刻が５曲目の３分５３秒の時点で、操作部１２５に対してＳＴＯＰキー操作による再生停止操作を行わず、突然、電源スイッチまたは何らかのキー操作等により操作部１２５に対して電源オフ操作を行うことにより、電源制御部１２８から電源が供給停止され、ＢＴ対応プレーヤ１００は電源オフ状態に移行する。この時、突然電源が断たれたため、操作部１２５は、コンテンツ再生部１２３に対してＳＴＯＰ指示は行うことができないため、ＢＴネットワーク１３０に対して上り信号であるＳＴＯＰコマンドは送信されない。よって、ＢＴ対応プレーヤ１００は、ＳＴＯＰコマンドを受信しないため、再生状態のままとなる。通常、ＢＴ対応プレーヤ１００の送信部１０９は、ＢＴ対応ヘッドホン１２０の受信部１２２と、双方向通信の関係にある。したがって、受信部１２２からの応答を常時監視するような動作を行うことが可能となり（Ｓ３０３）、ある第一の所定の時間（図３では１００ｍｓｅｃ）応答が無い場合は（Ｓ３１１）、ネットワーク断かもしれないと判断することができ、さらに、ある第二の所定の時間（図３では５０００ｍｓｅｃ）応答が無い場合は（Ｓ３１３）、ネットワーク断と断定することができる。
【００４４】
ここで、本発明では、第一の所定の時間（１００ｍｓｅｃ）応答が無い場合（Ｓ３１１）、ネットワーク断かもしれないと予知し、その時点での再生位置（コンテンツ番号＝５、カウンタ表示時刻＝３分５３秒、セクタ位置＝４４７８２）をリジューム候補情報６０３として、リジューム候補情報記憶部１０８に記憶する（Ｓ３１２）。そして、その後も応答無しが継続した場合は、応答無し累積時間として、その時間を積み重ねていき、もし応答が復活した場合は、応答無し時間をクリアして（Ｓ３０４）、コンテンツ読み出し（Ｓ２０６）やコンテンツ送信（Ｓ３０７）を継続するが、もし応答が復活せずに、第二の所定の時間（５０００ｍｓｅｃ）経過してしまった場合（Ｓ３１３）、この時点でネットワーク断だと確定判断し、ネットワーク切断処理を行い（Ｓ３１４）、受信部１２２は、コンテンツ制御部１０２に対してＳＴＯＰ指示を行い、コンテンツ制御部１０２は、コンテンツ格納部１０１からＭＰ３データの取得を中止すると同時にＭＰ３デコードも中止し（Ｓ２０８）、ＢＴ対応プレーヤ１００およびＢＴ対応ヘッドホン１２０は、停止状態となる（Ｓ２１０）。この時、コンテンツ制御部１０２は、停止した時点、つまりＳＴＯＰ指示を受けた時点の再生位置である３分５８秒を示すリジューム確定情報７００（表示部１０３で表示している再生コンテンツ番号、再生カウンタ表示時刻、コンテンツ格納部１０１におけるセクタ位置など。）をリジューム確定情報記憶部１０７に記憶するが（Ｓ３０９）、このとき、リジューム候補情報記憶部１０８にリジューム候補情報６０３が記憶されていることを認識し、リジューム確定情報記憶部１０７のリジューム確定情報７００をリジューム候補情報記憶部１０８に記憶したリジューム候補情報６０３で上書きする（Ｓ３０９、リジューム確定情報７００はリジューム確定情報７０１のように変わる。）。
【００４５】
ＢＴ対応ヘッドホン１２０の電源オフ状態から電源オン状態（停止状態）への移行については、（ｉｉ−ｂ）と同様であるため省略する。
【００４６】
次に、ＢＴ対応プレーヤ１００およびＢＴ対応ヘッドホン１２０の停止状態から再生状態への移行について説明する。各種操作については、ＢＴ対応プレーヤ１００側の操作部１０４に対して行うことも可能であるが、ここではＢＴ対応ヘッドホン１２０側の操作部１２５に対して各種操作を行うものとして説明する。停止状態において、ユーザが、操作部１２５に対してＰＬＡＹキー操作により再生開始操作を行うことにより、ＢＴプレーヤ１００は再生状態に移行する。表示部１２４に表示された曲目リストから選択せずに再生開始操作を行った場合、リジューム再生操作となるため（Ｓ２１５）、ＢＴ対応プレーヤ１００は、リジューム確定情報記憶部１０７から、実際にＢＴ対応ヘッドホン１２０の出力部１２７からのオーディオ出力が停止された再生位置（３分５３秒）であるリジューム確定情報７０１をを読み出してリジューム再生動作を行うこととなり、ネットワーク断が起こって実際にＢＴ対応ヘッドホン１２０の出力部１２７からのオーディオ出力が停止された再生位置（３分５３秒）から再生再開することができる。また、Ｓ３０９において、リジューム候補情報６０３が示す再生位置の３秒前（３分５０秒）の再生位置をリジューム確定情報として上書きするような構成とすることにより、オーディオ出力が停止した再生位置の少し前からリジューム再生（再生再開）することも可能である。また、Ｓ３０９において、リジューム候補情報６０３が示す再生位置のコンテンツの先頭位置をリジューム確定情報として上書き（リジューム確定情報７０３）するような構成とすることにより、オーディオ出力が停止したコンテンツの先頭からリジューム再生（再生再開）することも可能である。
【００４７】
なお、本実施の形態１では、Ｓ３０９において、リジューム確定情報をリジューム候補情報あるいはリジューム候補情報を改変したもので上書きする構成としたが、別の構成として、リジューム確定情報やリジューム候補情報をそれぞれ別々に記憶したままで、Ｓ２０２において、リジューム確定情報かリジューム候補情報のいずれかを選択するような処理構成としても同様の効果を実現することができ、種々の構成にて本発明を実現可能であるため、これらを排除するものではない。
【００４８】
また、第一の所定の期間を１００ｍｓｅｃ、第二の所定の期間を５０００ｍｓｅｃとして説明したが、他の時間値でも本発明を実現可能であるため、これらの時間値に限定するものではない。
【００４９】
（実施の形態２）
図１は、実施の形態２におけるコンテンツ送信装置、ネットワーク、コンテンツ受信装置、および、コンテンツ送受信システムの一例を示す。図２、図３、および図４は、実施の形態２におけるフローチャートの一例を示す。図５は、コンテンツ送信装置（Ｂｌｕｅｔｏｏｔｈ対応ポータブルオーディオ再生機器（以降、ＢＴ対応プレーヤ））、ネットワーク（Ｂｌｕｅｔｏｏｔｈネットワーク（以降、ＢＴネットワーク））、コンテンツ受信装置（Ｂｌｕｅｔｏｏｔｈ対応ヘッドホン（以降、ＢＴ対応ヘッドホン））、および、コンテンツ送受信システムの一例を示す。
【００５０】
図１において、コンテンツ送受信システムは、ＢＴ対応プレーヤ１００、ＢＴネットワーク１３０、ＢＴ対応ヘッドホン１２０とから構成されている。ＢＴ対応プレーヤ１００は、コンテンツ格納部１０１、コンテンツ制御部１０２、表示部１０３、操作部１０４、Ｄ／Ａ変換部１０５、出力部１０６、リジューム確定情報記憶部１０７、リジューム候補情報記憶部１０８、送信部１０９、電源制御部１１０、アンテナ部１１１、コンテンツ格納位置記憶部１１２とから構成されている。ＢＴ対応ヘッドホン１２０は、アンテナ部１２１、受信部１２２、コンテンツ再生部１２３、表示部１２４、操作部１２５、Ｄ／Ａ変換部１２６、出力部１２７、電源制御部１２８とから構成されている。
【００５１】
図５において、コンテンツ送受信システムは、コンテンツ送信装置であるＢＴ対応プレーヤ５００、ＢＴネットワーク５２０、コンテンツ受信装置であるＢＴ対応ヘッドホン５１０とから構成されている。ＢＴ対応プレーヤ５００は、コンテンツ（ＭＰ３データ）の書誌情報（タイトル名、アーティスト名など）を表示するための表示部５０１、コンテンツ（ＭＰ３データ）の再生操作を行うための操作部５０２、電源スイッチ５０３とから構成されている。ＢＴ対応ヘッドホン５１０は、コンテンツ（ＭＰ３データ）を再生して出力するための出力部（スピーカ部）５１１、コンテンツ（ＭＰ３データ）の再生操作を行うための操作部５１２、電源スイッチ５１３、コンテンツ（ＭＰ３データ）の書誌情報（タイトル名、アーティスト名など）を表示するための表示部５１４とから構成されている。これらの構成を詳細に示したものが図１である。
【００５２】
図６は、リジューム候補情報の一例を示す図であり、リジューム候補情報６０１、および、リジューム候補情報６０３を示している。ただし、本発明を実現できる情報群であれば、必ずしもこれらの項目（コンテンツ番号、カウンタ表示時刻、セクタ位置）で構成される必要はない。
【００５３】
図７は、リジューム確定情報の一例を示す図であり、リジューム確定情報７００、リジューム確定情報７０１、リジューム確定情報７０２、および、リジューム確定情報７０３を示している。ただし、本発明を実現できる情報群であれば、必ずしもこれらの項目（コンテンツ番号、カウンタ表示時刻、セクタ位置）で構成される必要はない。
【００５４】
図８は、各コンテンツのコンテンツ格納位置情報の一例を示す図であり、コンテンツ格納位置情報８００を示している。ただし、本発明を実現できる情報群であれば、必ずしもこれらの項目（コンテンツ番号、開始セクタ位置、終了セクタ位置）で構成される必要はない。
【００５５】
なお、本実施の形態１では、コンテンツ送信装置、ネットワーク、コンテンツ受信装置、および、コンテンツ送受信システムの一例として、図５に示すように、ＢＴ対応プレーヤ５００とＢＴ対応ヘッドホン５１０とがＢＴネットワーク５２０で接続される例を挙げてコンテンツ送受信システムを構成しているが、他の機器の組み合わせで実現することも可能である。他の機器の例としては、コンテンツ送信装置であるＢＴ対応プレーヤ５００は、各種ネットワーク対応携帯電話、各種ネットワーク対応携帯情報端末、各種ネットワーク対応ＤＶＤレコーダ等の据え置き型ＡＶ再生機器など、種々のネットワーク対応コンテンツ送信機器（再生機器）で構成することが可能であり、また、Ｂｌｕｅｔｏｏｔｈで実現されるＢＴネットワーク５２０は、無線／有線ＬＡＮ、有線／無線インターネット、赤外線、ＧＨｚ帯無線通信、光ファイバなど、有線／無線問わず種々のネットワークで構成することが可能であり、また、コンテンツ受信装置であるＢＴ対応ヘッドホン５１０は、各種ネットワーク対応カーナビゲーション、各種ネットワーク対応スピーカなど、種々のネットワーク対応コンテンツ受信機器（再生機器）で構成することが可能であり、それぞれ置き換えた組み合わせで実現可能である。また、ここでは、コンテンツをＭＰ３データ（オーディオ）に特化して説明するが、ＷＭＡ、ＡＡＣ、ＷＡＶデータなど種々のデータ形式でも同様の構成を実現することができ、さらにオーディオとビデオが混在したデータ（ＷＭＶなどのＡＶデータ）でも実現可能であるため（コンテンツ送信装置やコンテンツ受信装置に表示部を備えている場合は映像（ビデオ）を表示する構成も可能）、これらを排除するものではない。また、ネットワークへ送信するための形式として、サブバンドコーデックのエンコード／デコード（以降、ＳＢＣエンコード／ＳＢＣデコード）を採用して説明しているが、種々の形式でも同様の構成が可能であり、それらを排除するものではない。さらに、ここでは、ＢＴ対応プレーヤ１００側ででＭＰ３データを一度デコードした後にネットワークへ送信するためにＳＢＣエンコードしてＢＴネットワークへ送信し、ＢＴ対応ヘッドホン１２０側でＳＢＣデコードして再生している例で説明しているが、コンテンツ（ＭＰ３データ）をそのままＢＴネットワークへ送信して、ＢＴ対応ヘッドホン１２０側でＭＰ３デコードする構成でも同様の構成が可能であるため、これを排除するものではない。
【００５６】
ＢＴ対応プレーヤ１００、ＢＴ対応ヘッドホン１２０の動作概要については、実施の形態１と同様であるため省略する。
【００５７】
このような構成において、リジューム再生（前回停止した再生位置から再生再開する機能）を行う場合の動作について、図１、図２、図３、図４、図６、図７、図８を使って、（ｉ）ＢＴ対応プレーヤ１００自身でオーディオを再生する場合の動作の一例と、（ｉｉ）ＢＴネットワークから送られてきたデータを受信してＢＴ対応ヘッドホン１２０側でオーディオを再生する場合の動作の一例について説明する。説明の簡単化のため、コンテンツ格納部１０１には、複数のＭＰ３データとそれらの一覧を表す曲目リストが格納されているものとする。
【００５８】
上記（ｉ）のＢＴ対応プレーヤ１００自身でオーディオを再生する場合の動作については、実施の形態１と同様であるため省略する。
【００５９】
上記（ｉｉ）のＢＴネットワークから送られてきたデータを受信してＢＴ対応ヘッドホン１２０側でオーディオを再生する場合の動作については、正規の停止シーケンスを伴った場合の動作は、実施の形態１と同様であるため省略する。
【００６０】
ここから、受信側で受信状態悪化などの受信異常が発生した場合の動作について説明する。
【００６１】
ＢＴ対応プレーヤ１００およびＢＴ対応ヘッドホン１２０が再生状態であるとし、再生状態からネットワーク悪化に伴う受信状態悪化などの受信異常が発生して音飛び（再生オーディオの音途切れ）が多発し、最終的に停止操作を行った停止状態への移行について説明する。上記で説明したように、再生状態で、ＢＴ対応ヘッドホン１２０側から停止操作を行った場合は、ＢＴネットワーク経由でＢＴ対応プレーヤ１００に対してＳＴＯＰコマンドが送られ、コンテンツ制御部１０２によって、リジューム確定情報記憶部１０７に停止した時点の再生位置を示すリジューム確定情報が記憶される動作となり、その後にＢＴ対応ヘッドホン１２０側から（またはＢＴ対応プレーヤ１００側から）再生操作を行った場合は、リジューム確定情報記憶部１０７に記憶しておいたリジューム確定情報を使って、前回停止した時点の再生位置からリジューム再生（再生再開）する動作を行うことができる。また、ＢＴ対応プレーヤ１００側から停止操作を行った場合（曲の再生終了などに伴うユーザ操作を伴わない停止処理を含む）も、コンテンツ制御部１０２は、操作部１０４からＳＴＯＰ指示を受け（曲の再生終了などに伴うユーザ操作を伴わない停止処理がはたらいた場合は自発的に停止処理を行い）、リジューム確定情報記憶部１０７に停止した時点の再生位置を示すリジューム確定情報が記憶される動作となり、その後にＢＴ対応ヘッドホン１２０側から（またはＢＴ対応プレーヤ１００側から）再生操作を行った場合、同様にリジューム再生（再生再開）する動作を行うことができる。
【００６２】
しかしながら、現実の使用シーンにおいては、ネットワークの状態は随時変化するものであり、特にＢｌｕｅｔｏｏｔｈなどの２．４ＧＨｚ帯の無線通信を使用する系では、無線ＬＡＮや電子レンジなどの影響を受けやすいため、ＢＴ対応プレーヤ１００、ＢＴネットワーク１３０、および、ＢＴ対応ヘッドホン１２０のようなＢｌｕｅｔｏｏｔｈネットワークを使ったオーディオを伝送するコンテンツ送受信システムの系では、ネットワーク状況悪化により、ＢＴ対応ヘッドホン１２０の受信部１２２の受信バッファがアンダーフローして、音飛び（再生オーディオの音途切れ）が多発し、最終的にネットワーク断に至ることもありうる。このように、ネットワーク悪化に伴うネットワーク断を起因として、正規の停止シーケンスが行われなかった場合、リジューム再生の再生再開位置に数秒の誤差が生じてしまう。この動作について、ここでは、ＢＴ対応ヘッドホン１２０の電源が突然断たれて、ＢＴ対応ヘッドホン１２０からＢＴネットワーク１３０にＳＴＯＰコマンドが送信されなかった場合を例として説明する。
【００６３】
電源オフ状態から電源オン状態（停止状態）、電源オン状態（停止状態）から再生状態、までの動作については、（ｉｉ−ａ）と同様であるため省略する。
【００６４】
最初に、再生状態において、ネットワークが悪化した場合の動作（再生状態のまま）について説明する。各種操作については、ＢＴ対応プレーヤ１００側の操作部１０４に対して行うことも可能であるが、ここではＢＴ対応ヘッドホン１２０側の操作部１２５に対して各種操作を行うものとして説明する。ネットワーク状況が悪い状態、例えば、同じ周波数帯である無線ＬＡＮが多用されている環境や電子レンジを使用している環境などでの再生状態において、表示部１２４のカウンタ表示時刻が５曲目の３分４３秒の時点で、ネットワーク悪化が続いたことによってデータの転送が行われなかったり伝送遅延が発生し、ＢＴ対応ヘッドホン１２０の受信部１２２の受信バッファがアンダーフローし、受信部１２２からコンテンツ再生部１２３へのデジタルオーディオデータ転送が途絶え、出力部１２７からの再生オーディオが音飛び（再生オーディオの音途切れ）が発生したとする。もし、ネットワーク状況が復活して受信部１２２の受信バッファのアンダーフローが解消されれば、音途切れはなくなり、正常な再生状態に戻る。
【００６５】
次に、ネットワークが悪化した状態での再生状態から停止状態への移行について説明する。各種操作については、ＢＴ対応プレーヤ１００側の操作部１０４に対して行うことも可能であるが、ここではＢＴ対応ヘッドホン１２０側の操作部１２５に対して各種操作を行うものとして説明する。再生状態において、ユーザが、音飛びの多発により、再生を停止しようと考え、表示部１２４のカウンタ表示時刻が５曲目の３分５３秒の時点で、操作部１２５に対してＳＴＯＰキー操作による再生停止操作を行うことにより、ＢＴ対応プレーヤ１００は停止状態に移行する。以降、実施の形態１で説明した動作と同様であるため省略するが、コンテンツ制御部１０２は、停止した時点、つまりＳＴＯＰ指示を受けた時点の再生位置である３分５３秒を示すリジューム確定情報７０１（表示部１０３で表示している再生コンテンツ番号、再生カウンタ表示時刻、コンテンツ格納部１０１におけるセクタ位置など。）をリジューム確定情報記憶部１０７に記憶する（Ｓ３０９）。
【００６６】
次に、ＢＴ対応プレーヤ１００およびＢＴ対応ヘッドホン１２０の停止状態から再生状態への移行について説明する。各種操作については、ＢＴ対応プレーヤ１００側の操作部１０４に対して行うことも可能であるが、ここではＢＴ対応ヘッドホン１２０側の操作部１２５に対して各種操作を行うものとして説明する。停止状態において、ユーザが、操作部１２５に対してＰＬＡＹキー操作により再生開始操作を行うことにより、ＢＴプレーヤ１００は再生状態に移行する。表示部１２４に表示された曲目リストから選択せずに再生開始操作を行った場合、リジューム再生操作となるため（Ｓ２１５）、ＢＴ対応プレーヤ１００は、前回再生停止した再生位置、つまり、５曲目の３分５８秒の位置からリジューム再生の動作を行う。しかし、そのリジューム再生位置は、実際に音飛びが発生し始めたところよりもかなり後ろの（時間が経過した）再生位置となってしまっているため、特に語学や落語など、すべての言葉を正確に聴き取りたい場合など、不便を感じることがある。
【００６７】
本発明では、リジューム候補情報記憶部１０８にリジューム候補情報を記憶することにより、この課題を解決することができる。以下、動作内容について説明する。
【００６８】
電源オフ状態から電源オン状態（停止状態）、電源オン状態（停止状態）から再生状態、までの動作については、（ｉｉ−ａ）と同様であるため省略する。
【００６９】
最初に、再生状態において、ネットワークが悪化した場合の動作（再生状態のまま）について説明する。各種操作については、ＢＴ対応プレーヤ１００側の操作部１０４に対して行うことも可能であるが、ここではＢＴ対応ヘッドホン１２０側の操作部１２５に対して各種操作を行うものとして説明する。ネットワーク状況が悪い状態、例えば、同じ周波数帯である無線ＬＡＮが多用されている環境や電子レンジを使用している環境などでの再生状態において、表示部１２４のカウンタ表示時刻が５曲目の３分４３秒の時点で、ネットワーク悪化が続いたことによってデータの転送が行われなかったり伝送遅延が発生し、ＢＴ対応ヘッドホン１２０の受信部１２２の受信バッファがアンダーフローし、受信部１２２からコンテンツ再生部１２３へのデジタルオーディオデータ転送が途絶え、出力部１２７からの再生オーディオが音飛び（再生オーディオの音途切れ）が発生したとする。
【００７０】
ここで、本発明では、受信部１２２において、受信バッファのアンダーフローを検出した際、受信部１２２からＢＴ対応プレーヤに対して受信状況悪化を示すＬＩＮＫ悪化情報を送信する。ＢＴ対応プレーヤ１００の送信部１０９は、ＢＴ対応ヘッドホン１２０から通知される情報を常時監視しており（Ｓ４０３）、送信部１０９がこのＬＩＮＫ悪化情報を受信したとき、ネットワークが悪化していることを検知でき、リジューム候補情報記憶部１０８に、その時点での再生位置（コンテンツ番号＝５、カウンタ表示時刻＝３分４３秒、セクタ位置＝４４４６９）をリジューム候補情報６０１として、リジューム候補情報記憶部１０８に記憶する（Ｓ４１７）。なお、実施の形態２では、ＬＩＮＫ悪化情報を使った方法についてのみ説明しているが、実施の形態１と実施の形態２を組み合わせた構成でも実現可能であるため、これを排除するものではない。もし、ネットワーク状況が少し復活して受信部１２２の受信バッファのアンダーフローが解消されれば、音途切れはなくなり、正常な再生状態に戻る。
【００７１】
次に、ネットワークが悪化した状態での再生状態から停止状態への移行について説明する。各種操作については、ＢＴ対応プレーヤ１００側の操作部１０４に対して行うことも可能であるが、ここではＢＴ対応ヘッドホン１２０側の操作部１２５に対して各種操作を行うものとして説明する。再生状態において、ユーザが、音飛びの多発により、再生を停止しようと考え、表示部１２４のカウンタ表示時刻が５曲目の３分５３秒の時点で、操作部１２５に対してＳＴＯＰキー操作による再生停止操作を行うことにより、ＢＴ対応プレーヤ１００は停止状態に移行する。以降、実施の形態１で説明した動作と同様であるため省略するが、コンテンツ制御部１０２は、停止した時点、つまりＳＴＯＰ指示を受けた時点の再生位置である３分５３秒を示すリジューム確定情報７０１（表示部１０３で表示している再生コンテンツ番号、再生カウンタ表示時刻、コンテンツ格納部１０１におけるセクタ位置など。）をリジューム確定情報記憶部１０７に記憶する（Ｓ３０９）。
【００７２】
ここで、本発明では、リジューム候補情報記憶部１０８にリジューム候補情報６０１が記憶されていることを認識し、リジューム確定情報記憶部１０７のリジューム確定情報７０１をリジューム候補情報記憶部１０８に記憶したリジューム候補情報６０１で上書きする（Ｓ３０９、リジューム確定情報７０１はリジューム確定情報７０２のように変わる。）。これらの動作により、リジューム確定情報記憶部１０７には、ネットワーク悪化が起こって実際にＢＴ対応ヘッドホン１２０の出力部１２７からのオーディオ出力が途切れ始めた再生位置（３分４３秒）がリジューム確定情報７０２として記憶されていることとなり、次にリジューム再生を行った際、リジューム確定情報記憶部１０７からリジューム確定情報７０２（３分４３秒）を読み出してリジューム再生動作を行うこととなる。
【００７３】
次に、ＢＴ対応プレーヤ１００およびＢＴ対応ヘッドホン１２０の停止状態から再生状態への移行について説明する。各種操作については、ＢＴ対応プレーヤ１００側の操作部１０４に対して行うことも可能であるが、ここではＢＴ対応ヘッドホン１２０側の操作部１２５に対して各種操作を行うものとして説明する。停止状態において、ユーザが、操作部１２５に対してＰＬＡＹキー操作により再生開始操作を行うことにより、ＢＴプレーヤ１００は再生状態に移行する。表示部１２４に表示された曲目リストから選択せずに再生開始操作を行った場合、リジューム再生操作となるため（Ｓ２１５）、ＢＴ対応プレーヤ１００は、ネットワーク悪化が起こって実際にＢＴ対応ヘッドホン１２０の出力部１２７からのオーディオ出力が途切れ始めた再生位置（３分４３秒）から再生再開することができる。また、Ｓ３０９において、リジューム候補情報６０１が示す再生位置の３秒前（３分４０秒）の再生位置をリジューム確定情報として上書きするような構成とすることにより、音が途切れ始めた再生位置の少し前からリジューム再生（再生再開）することも可能である。また、Ｓ３０９において、リジューム候補情報６０１が示す再生位置のコンテンツの先頭位置をリジューム確定情報として上書き（リジューム確定情報７０３）するような構成とすることにより、音が途切れたコンテンツの先頭からリジューム再生（再生再開）することも可能である。
【００７４】
なお、本実施の形態２では、Ｓ３０９において、リジューム確定情報をリジューム候補情報あるいはリジューム候補情報を改変したもので上書きする構成としたが、別の構成として、リジューム確定情報やリジューム候補情報をそれぞれ別々に記憶したままで、Ｓ２０２において、リジューム確定情報かリジューム候補情報のいずれかを選択するような処理構成としても同様の効果を実現することができ、種々の構成にて本発明を実現可能であるため、これらを排除するものではない。
【００７５】
また、受信部１２２から送信部１０９に送られる情報が、ネットワーク悪化を意味するＬＩＮＫ悪化情報であるとして説明したが、ＢＴ対応ヘッドホン１２０側での何らかの操作による通知信号や、ＢＴ対応ヘッドホン１２０側での何らかの状態変換による通知信号などでも本発明を実現可能であるため、通知信号の内容を限定するものではない。
【産業上の利用可能性】
【００７６】
本発明は、通信手段を備えたコンテンツ再生装置に有用である。特に、Ｂｌｕｅｔｏｏｔｈ無線通信でオーディオ伝送を行う装置に有用である。
【符号の説明】
【００７７】
１００    ＢＴ対応プレーヤ
１０１    コンテンツ格納部
１０２    コンテンツ制御部
１０３    表示部
１０４    操作部
１０５    Ｄ／Ａ変換部
１０６    出力部
１０７    リジューム確定情報記憶部
１０８    リジューム候補情報記憶部
１０９    送信部
１１０    電源制御部
１１１    アンテナ部
１１２    コンテンツ格納位置記憶部
１２０    ＢＴ対応ヘッドホン
１２１    アンテナ部
１２２    受信部
１２３    コンテンツ再生部
１２４    表示部
１２５    操作部
１２６    Ｄ／Ａ変換部
１２７    出力部
１２８    電源制御部
１３０    ＢＴネットワーク
５００    ＢＴ対応プレーヤ
５０１    表示部
５０２    操作部
５０３    電源スイッチ
５２０    ＢＴネットワーク
５１０    ＢＴ対応ヘッドホン
５１１    出力部（スピーカ部）
５１２    操作部
５１３    電源スイッチ
５１４    表示部
６０１    リジューム候補情報
６０３    リジューム候補情報
７００    リジューム確定情報
７０１    リジューム確定情報
７０２    リジューム確定情報
７０３    リジューム確定情報
８００    コンテンツ格納位置情報
【図１】
2010271518.tif 000003
【図２】
2010271518.tif 000004
【図３】
2010271518.tif 000005
【図４】
2010271518.tif 000006
【図５】
2010271518.tif 000007
【図６】
2010271518.tif 000008
【図７】
2010271518.tif 000009
【図８】
2010271518.tif 000010